(57)【要約】【課題】  誰にでも簡単に立体アートを作ることができ、しかも表現の自由度を向上させた立体アート製作キットの提供。【解決手段】  薄板状部材で形成した複数の略Ｃ字形のパーツ１，２，３，４，５，６を備え、複数のパーツは大きさと形がそれぞれ異なっており、各パーツは、任意の位置で任意の角度で切り離し、切り離した一方のパーツを表裏逆にして再びもう一方のパーツと接合することにより形状を変更できるものであり、略Ｃ字形のパーツ１と形状を変更したパーツ４，５を自由に組合わせて接合することで、複数の曲線が絡み合った立体アート１４を製作することを特徴とする。【選択図】      図４
0003131003.tif 000002
【実用新案登録請求の範囲】
【請求項１】
薄板状部材で形成した複数の略Ｃ字形のパーツを備え、複数のパーツは大きさと形がそれぞれ異なっており、各パーツは、任意の位置で任意の角度で切り離し、切り離した一方のパーツを表裏逆にして再びもう一方のパーツと接合することにより形状を変更できるものであり、略Ｃ字形のパーツと形状を変更したパーツを自由に組合わせて接合することで、複数の曲線が絡み合った立体アートを製作することを特徴とする立体アート製作キット。
【請求項２】
１枚のシートに各パーツの輪郭を印刷して提供することを特徴とする請求項１記載の立体アート製作キット。
【請求項３】
各パーツには、切り離すのに適した部位が予め複数表示してあることを特徴とする請求項１又は２記載の立体アート製作キット。
【請求項４】
請求項１〜３の何れかに記載した立体アート製作キットにより製作した立体アートを見本とし、金属の鋳物で形成した複数のパーツを用いて前記見本と相似形に製作したことを特徴とする立体アート。
【考案の詳細な説明】
【技術分野】
【０００１】
本考案は、誰もが簡単に立体アートに親しめるように考案された立体アート製作キット、及び当該キットにより製作したものを見本にして製作される立体アートに関する。
【背景技術】
【０００２】
現代人は、テレビやコンピューターの画面を長時間見続けるなど、平面的な画像との係わりがますます強くなってきており、ともすれば立体認識力に欠ける状況となっている。
立体認識力を養い、立体的なものをデザインする力を向上させるには、芸術家や美術工芸家になったような気分で立体アートを自分で製作してみるのが効果的である。本出願人は、形状と大きさの異なる略Ｃ字状の複数のパーツを用い、これらを自由に組合わせて製作する新しいタイプの立体アート（「Ｃアート」と呼んでいる）を考え、この立体アートを製作するためのキットも考案している（特許文献１参照。）。
【０００３】
上記特許文献１記載の造形物製作キットは、骨格を成す略Ｃ字形の３本の骨材２，３，４と、支持台５とを備えており、各骨材２，３，４は木材製又は樹脂材料製となっている。各骨材２，３，４には、複数の結着孔２ｃ，３ｃ，４ｃが骨材の一端側から他端側へ間隔を隔てつつ列設してあり、骨材同士を接合する際には、結着孔２ｃ，３ｃ，４ｃに針金等の線条を通して結着するようにしていた。また骨材２，３，４は、中間部の一箇所に欠刻部２ｄ，３ｄ，４ｄを設けてあり、骨材を欠刻部で一旦分離した後、一方を反転させて再び接合することで、略Ｃ字形の骨材を略Ｓ字形の骨材に変形させられ、略Ｃ字形の骨材と略Ｓ字形の骨材とを組合わせることで、多様な表現が可能となっている。  
【特許文献１】特開２００３−１２７５９９号公報
【考案の開示】
【考案が解決しようとする課題】
【０００４】
上記の造形物製作キットにおいては、骨材同士を接合するために、骨材の結着孔に針金等を通して結着しなければならないので、指先に力のない小さい子供やお年寄りには、組立てが容易に行えない。また骨材は、欠刻部の位置が予め一箇所に決まっており、欠刻部における骨材の切断面の角度も一定であるため、骨材の形は略Ｃ字形と略Ｓ字形の２種類の決まった形にしかならなかった。
本考案は以上に述べた実情に鑑み、誰にでも簡単に立体アートを作ることができ、しかも表現の自由度を向上させた立体アート製作キット及び立体アートの提供を目的とする。
【課題を解決するための手段】
【０００５】
上記の課題を達成するために請求項１記載の考案による立体アート製作キットは、薄板状部材で形成した複数の略Ｃ字形のパーツを備え、複数のパーツは大きさと形がそれぞれ異なっており、各パーツは、任意の位置で任意の角度で切り離し、切り離した一方のパーツを表裏逆にして再びもう一方のパーツと接合することにより、例えば略Ｓ字形に形状を変更できるものであり、略Ｃ字形のパーツと形状を変更したパーツを自由に組合わせて接合することで、複数の曲線が絡み合った立体アートを製作することを特徴とする。パーツの材料である薄板状部材としては、厚紙、合成樹脂の薄板等を用いることができる。
【０００６】
請求項２記載の考案による立体アート製作キットは、請求項１記載の考案の構成に加え、１枚のシートに各パーツの輪郭を印刷して提供することを特徴とする。
【０００７】
請求項３記載の考案による立体アート製作キットは、請求項１又は２記載の考案の構成に加え、各パーツには、切り離すのに適した部位が予め複数表示してあることを特徴とする。
【０００８】
請求項４記載の考案による立体アートは、請求項１〜３の何れかに記載した立体アート製作キットにより製作した立体アートを見本とし、金属の鋳物で形成した複数のパーツを用いて前記見本と相似形に製作したことを特徴とする。
【考案の効果】
【０００９】
請求項１記載の考案による立体アート製作キットは、各パーツを薄板状部材で形成したことで、セロファンテープを使用したり、一方のパーツに適宜切り込みを入れて他方のパーツをその切り込みに差し込んだりすることにより、複数のパーツ同士を容易に接合することができ、そのため小さい子供からお年寄りまで、誰でも立体アートの製作を簡単に楽しめる。また各パーツは、任意の位置で任意の角度で切り離し、切り離した一方のパーツを表裏逆にして再びもう一方のパーツと接合することにより、無数の異なった形の曲線形状に変形することができ、略Ｃ字形のパーツと形状を変更したパーツを複数自由に組合わせることで、無限の表現が可能である。さらに、各パーツに絵の具等で色を塗ったり、模様を描いたり、各パーツにカッターで透かし模様を形成したり、各パーツをねじったり面外方向に湾曲させたりすることも容易で、そうすることで立体アートの完成度を高め、製作や観賞の楽しみを増大させることができる。しかも、従来のように各パーツをプラスチックや木等で製作した場合と比べ、格段に安価に提供できる。
【００１０】
請求項２記載の考案による立体アート製作キットは、１枚のシートに各パーツの輪郭を印刷して提供することで、より一層安価に提供することができる。そのように各パーツの輪郭が印刷されたシートのデータを、インターネットを介してダウンロードできるようにすれば、誰もが無料で本考案に係る立体アートの製作を手軽に楽しむことができる。さらに、各パーツの輪郭が印刷されたシートを、コピー機等を用いて拡大・縮小することで、各パーツを一度に同一の尺度で拡大・縮小し、任意の大きさにすることができる。
【００１１】
請求項３記載の考案による立体アート製作キットは、各パーツには、切り離すのに適した部位が予め複数表示してあることで、各パーツ毎に複数の形の良い曲線形状が容易に得られる。
【００１２】
請求項４記載の考案によれば、美術の専門家ではない一般の人が自由に製作した立体アートの形態そのままに、長期間保存可能な置物やモニュメントとしての立体アートを簡単に製作できる。
【考案を実施するための最良の形態】
【００１３】
以下、本考案の実施の形態を図面に基づいて説明する。図１は、本考案に係る立体アート製作キットの型紙１０を示している。この型紙１０は、一枚の厚紙に立体アートの構成部材となる略Ｃ字形の６つのパーツ１，２，３，４，５，６と、パーツを台７に取付けるための取付片８の輪郭が印刷されており、型紙１０からパーツ１，２，３，４，５，６と取付片８とをカッターやハサミで切り抜いて用いるようになっている。型紙１０の大きさは、例えばＡ３サイズとすることができる。
【００１４】
６つの略Ｃ字形のパーツ１，２，３，４，５，６は、大きさと形状がそれぞれ異なっている。各パーツ１，２，３，４，５，６の大まかな形状は、一端部側から他端部側に向かうにつれて太さが次第に細くなり、且つ一端部側から他端部側に向かうにつれて曲がる曲率が次第に小さくなっている。
また各パーツ１，２，３，４，５，６には、中間部と、先端部と、中間部と先端部とのさらに中間の３箇所に、二点鎖線の楕円で囲って切り離し部１１，１２，１３の表示がしてある。そして各パーツ１，２，３，４，５，６は、図２（ａ）〜（ｃ）に示すように、切り離し部１１，１２，１３において、図中に点線で示す切断線９で一旦切り離し、切り離した一方のパーツを表裏逆にした状態で、セロファンテープや糊を使用して再び接合することにより、略Ｃ字形から別の形の曲線、例えば図２（ａ）に示すような略Ｓ字形に形状を変更することができる。図２に示した例では、３箇所の切り離し部１１，１２，１３のうちの１箇所でそれぞれ切り離して接合しているが、３箇所の切り離し部１１，１２，１３の２箇所以上で切り離して接合することもできる。また、切り離す際の切断線９の角度は、自由な角度で切り離すことができ、各パーツ１，２，３，４，５，６は自由な曲線形状に形状を変更することができる。なお、切り離し部１１，１２，１３の表示は、パーツ１，２，３，４，５，６を切り離す際の位置の目安であり、切り離し部１１，１２，１３以外の位置でパーツ１，２，３，４，５，６を切り離すこともできる。パーツ１，２，３，４，５，６を切り離し部１１，１２，１３で切り離したときには、再び接合したときに形状の変化が大きく、且つ格好が良くなるようになっている。
【００１５】
図３は、上述のパーツ１，２，３，４，５，６を用いて製作される立体アート１４の一例を示している。この立体アート１４は、６つのパーツ１，２，３，４，５，６を製作者が自由に組合わせて接合することにより、複数の曲線が絡み合った状態に製作される。パーツは、６つ全部使用してもよいし、６つのうちのいくつかだけを使用してもよく、また略Ｃ字形のままで使用してもよいし、Ｓ字形等に変形して使用することもできる。
図３の例では、３つのパーツ１，４，５を使用しており、そのうちの２つのパーツ４，５はＣ字形からＳ字形に変形して用いている。取付片８は、図１中に点線で示す折り曲げ線でＬ字形に折り曲げ、折り曲げた一方の片を台７上に糊で接着し、他方の片にパーツ４の下部を糊で接着し、パーツ４を起立固定している。パーツ１，４，５同士の接合には、セロファンテープ１５を使用している。本立体アート１４は、卓上で製作・展示するのに適した、高さが２０ｃｍ前後のものになる。
【００１６】
パーツ１，４，５同士を接合する際に、図４に示すように、接合する一方のパーツに切り込み１６を入れ、他方のパーツをその切り込み１６に差し込み、必要に応じて接合部を接着剤で接着して接合することもできる。また図４に示すように、パーツ１，４を捩じったり、面外方向に湾曲させたり、さらにはパーツ１，４，５にカッター等で穴を開けて透かし模様１７を形成することもできる。またパーツ１，４，５に絵の具等で色を塗ったり、模様を描いたりすることもできる。
【００１７】
図５は、以上に述べた立体アート製作キットにより製作された紙製のミニチュアの立体アート１４を見本とし、この見本１４と相似形に製作されたブロンズの鋳物製の置物１８を示している。置物１８の大きさは、見本１４の約５倍で、高さが約１ｍとなっている。
【００１８】
本置物１８は、一般の人が立体アート製作キットにより見本１４を製作して美術工芸家に渡し、美術工芸家がその見本１４を基に製作する。美術工芸家は、図６に示すような、６種類の略Ｃ字形のパーツ１ａ，２ａ，３ａ，４ａ，５ａ，６ａを製作するための鋳型を所有しており、当該鋳型を用いて置物１８の製作に必要なパーツをブロンズの鋳物で製作する。図６の各パーツ１ａ，２ａ，３ａ，４ａ，５ａ，６ａは、図１に示す型紙１０に印刷されたパーツ１，２，３，４，５，６とそれぞれ相似形となっており、Ａ−Ａ断面図に示すように、断面は楕円形の中空断面となっている。図１に示す立体アート製作キットの各パーツ１，２，３，４，５，６の形状は、鋳型により製作されるパーツ１ａ，２ａ，３ａ，４ａ，５ａ，６ａを平面に投影するとともに、同一尺度で縮小した形状となっている。各パーツ１ａ，２ａ，３ａ，４ａ，５ａ，６ａは、図７に示すように、半分ずつ鋳造したものを溶接接合することにより、Ｃ字形にしたりＳ字形にしたりできる。またＣ字形のものを、見本１４のパーツ１，４，５の形状に基づいて任意の位置で切断し、一方を反転させて再び溶接接合することにより、見本のパーツ１，４，５と同じ形状で必要なパーツ１ａ，４ａ，５ａを製作する。必要なパーツ１ａ，４ａ，５ａを製作したら、各パーツ１ａ，４ａ，５ａを溶接により接合して台７に溶接により固定し置物を完成させる。以上の手法によれば、一般の人が自由に製作したミニチュアの立体アート１４の形態そのままに、重厚なブロンズ製の置物１８を簡単に製作することができる。置物１８のパーツ１ａ，４ａ，５ａにも、透かし模様を形成したり、着色により模様を付けたりすることができる。
【図面の簡単な説明】
【００１９】
【図１】本考案に係る立体アート製作キットの型紙を示す平面図である。
【図２】パーツの変形例を示す平面図である。
【図３】立体アート製作キットにより製作した立体アートの一例を示す斜視図である。
【図４】立体アート製作キットにより製作される立体アートの応用例を示す斜視図である。
【図５】立体アート製作キットにより製作した立体アートを見本とし、その見本と相似形に製作された置物を示す斜視図である。
【図６】置物を構成する各パーツの平面図とＡ−Ａ断面図である。
【図７】置物のパーツの製作過程を示す平面図である。
【符号の説明】
【００２０】
１，２，３，４，５，６  パーツ
７  台  
８  取付片  
９  切断線
１０  型紙
１１，１２，１３  切り離し部
１４  見本（立体アート）
１５  セロファンテープ
１６  切り込み
１７  透かし模様
１８  置物（立体アート）  
【図１】
0003131003.tif 000003
【図２】
0003131003.tif 000004
【図３】
0003131003.tif 000005
【図４】
0003131003.tif 000006
【図５】
0003131003.tif 000007
【図６】
0003131003.tif 000008
【図７】
0003131003.tif 000009
【手続補正書】
【提出日】平成19年2月14日(2007.2.14)
【手続補正１】
【補正対象書類名】実用新案登録請求の範囲
【補正対象項目名】請求項４
【補正方法】変更
【補正の内容】
【請求項４】
請求項１〜３の何れかに記載した立体アート製作キットにより製作した立体アートを見本とし、金属の鋳物で前記見本の各パーツとそれぞれ相似形に形成した複数のパーツを用いて前記見本と相似形に製作したことを特徴とする立体アート。
【手続補正書】
【提出日】平成19年2月19日(2007.2.19)
【手続補正１】
【補正対象書類名】明細書
【補正対象項目名】０００８
【補正方法】変更
【補正の内容】
【０００８】
請求項４記載の考案による立体アートは、請求項１〜３の何れかに記載した立体アート製作キットにより製作した立体アートを見本とし、金属の鋳物で前記見本の各パーツとそれぞれ相似形に形成した複数のパーツを用いて前記見本と相似形に製作したことを特徴とする。